【手続補正書】
【提出日】平成17年8月29日(2005.8.29)
【手続補正１】
【補正対象書類名】明細書
【補正対象項目名】特許請求の範囲
【補正方法】変更
【補正の内容】
【特許請求の範囲】
【請求項１】
血管アクセスを経由して患者の血管に結合され、前記血管へ液体を移動させるために圧力を加える機械装置を有する医療装置における脈拍数測定方法において、前記液体の圧力を測定し、測定された前記圧力の一定時間のデータを周波数解析して各周波数成分から構成されるスペクトルを検出し、前記スペクトルから前記機械装置に起因する周波数成分を除去することにより、前記患者の脈拍に起因する周波数成分を特定し、前記患者の脈拍に起因する周波数成分の周波数から脈拍数を測定することを特徴とする脈拍数測定方法。
【請求項２】
前記血管アクセスを取り付ける前に、前記液体の圧力を測定し、測定された前記圧力の一定時間のデータを周波数解析して得られる前記機械装置に起因する周波数成分を検出して、前記スペクトルから前記機械装置に起因する周波数成分を除去する請求項１に記載の脈拍数測定方法。
【請求項３】
前記機械装置の運転周波数を前記医療装置の制御装置に送信して、前記機械装置に起因する周波数を特定して、前記スペクトルから前記機械装置に起因する周波数成分を除去する請求項１に記載の脈拍数測定方法。
【請求項４】
血管アクセスを経由して患者の血管に結合され、前記血管へ液体を移動させるために圧力を加える機械装置を有する医療装置における脈拍数測定方法において、前記機械装置を構成するポンプの回転周波数を基準周波数を中心にして一定周波数幅だけ変化するように回転させながら、前記液体の圧力を測定し、測定された前記圧力の一定時間のデータを周波数解析して前記患者の脈拍に起因する周波数成分から構成されるスペクトルを検出し、前記患者の脈拍に起因する周波数成分の周波数から脈拍数を測定することを特徴とする脈拍数測定方法。
【請求項５】
血管アクセスを経由して患者の血管に結合され、前記血管へ液体を移動させるために圧力を加える機械装置を有する医療装置における血圧測定方法において、前記液体の圧力を測定し、測定された前記圧力の一定時間のデータを周波数解析して周波数成分から構成されるスペクトルを検出し、前記スペクトルから前記機械装置に起因する周波数成分を除去することにより、前記患者の脈拍に起因する周波数成分を特定し、前記患者の脈拍に起因する周波数成分の強度から血圧値を測定することを特徴とする血圧測定方法。
【請求項６】
前記血管アクセスを取り付ける前に、前記液体に印可される圧力を測定し、測定された前記圧力の一定時間のデータを周波数解析して得られる前記機械装置に起因する周波数成分を検出して、前記スペクトルから前記機械装置に起因する周波数成分を除去する請求項５に記載の血圧測定方法。
【請求項７】
前記機械装置の運転周波数を前記医療装置の制御装置に送信して、前記機械装置に起因する周波数を特定して、前記スペクトルから前記機械装置に起因する周波数成分を除去する請求項５に記載の血圧測定方法。
【請求項８】
血管アクセスを経由して患者の血管に結合され、前記血管へ液体を移動させるために圧力を加える機械装置を有する医療装置における血圧測定方法において、前記機械装置を構成するポンプの回転周波数を基準周波数を中心にして一定周波数幅だけ変化するように回転させながら、前記液体の圧力を測定し、測定された前記圧力の一定時間のデータを周波数解析して前記患者の脈拍に起因する周波数成分から構成されるスペクトルを検出し、前記患者の脈拍に起因する周波数成分の強度から血圧値を測定することを特徴とする血圧測定方法。
【請求項９】
血管アクセスを経由して患者の血管に結合され、前記血管へ液体を移動させるために圧力を加える機械装置を有する医療装置において、前記液体の圧力を測定する圧力検出手段と、測定された前記圧力の一定時間のデータを周波数解析して各周波数成分から構成されるスペクトルを検出する周波数解析手段と、前記スペクトルから前記機械装置に起因する周波数成分を除去する除去手段と、前記患者の脈拍に起因する周波数成分の周波数から脈拍数に換算する脈拍数換算手段と、からなる脈拍数測定回路を備えたことを特徴とする医療装置。
【請求項１０】
一定時間が複数設定でき、設定された時間毎の脈拍数を測定する脈拍数測定回路を備えた請求項９に記載の医療装置。
【請求項１１】
前記脈拍数測定回路が測定した脈拍数が、設定した脈拍数正常値の範囲外になったときに警報を発する脈拍数警報回路を備えた請求項１０に記載の医療装置。
【請求項１２】
血管アクセスを経由して患者の血管に結合され、前記血管へ液体を移動させるために圧力を加える機械装置を有する医療装置において、前記液体の圧力を測定する圧力検出手段と、測定された前記圧力の一定時間のデータを周波数解析して各周波数成分から構成されるスペクトルを検出する周波数解析手段と、前記スペクトルから前記機械装置に起因する周波数成分を除去する除去手段と、前記患者の脈拍に起因する周波数成分の強度から血圧値に換算する血圧値換算手段と、からなる血圧測定回路を備えたことを特徴とする医療装置。
【請求項１３】
一定時間が複数設定でき、設定された時間毎の血圧値を測定する血圧測定回路を備えた請求項１２に記載の医療装置。
【請求項１４】
前記血圧測定回路が測定した血圧値が、設定した血圧正常値の範囲外になったときに警報を発する血圧警報回路を備えた請求項１３に記載の医療装置。
【請求項１５】
前記液体の圧力を動脈側の液体で測定する、又は前記液体の圧力を静脈側の液体で測定する請求項９乃至請求項１４のいずれかに記載の医療装置。
【手続補正２】
【補正対象書類名】明細書
【補正対象項目名】００１２
【補正方法】変更
【補正の内容】
【００１２】
【課題を解決するための手段】
本発明は血管アクセスを経由して患者の血管に結合され、前記血管へ液体を移動させるために圧力を加える機械装置を有する医療装置における脈拍数測定方法に関するものであり、本発明の上記目的は、前記液体の圧力を測定し、測定された前記圧力の一定時間のデータを周波数解析して各周波数成分から構成されるスペクトルを検出し、前記スペクトルから前記機械装置に起因する周波数成分を除去することにより、前記患者の脈拍に起因する周波数成分を特定し、前記患者の脈拍に起因する周波数成分の周波数から脈拍数を測定することによって達成される。
【手続補正３】
【補正対象書類名】明細書
【補正対象項目名】００１３
【補正方法】変更
【補正の内容】
【００１３】
また、本発明は血管アクセスを経由して患者の血管に結合され、前記血管へ液体を移動させるために圧力を加える機械装置を有する医療装置における血圧の測定方法に関するものであり、本発明の上記目的は、前記液体の圧力を測定し、測定された前記圧力の一定時間のデータを周波数解析して周波数成分から構成されるスペクトルを検出し、前記スペクトルから前記機械装置に起因する周波数成分を除去することにより、前記患者の脈拍に起因する周波数成分を特定し、前記患者の脈拍に起因する周波数成分の強度から血圧値を測定することによって達成される。
【手続補正４】
【補正対象書類名】明細書
【補正対象項目名】００１４
【補正方法】変更
【補正の内容】
【００１４】
また、本発明は血管アクセスを経由して患者の血管に結合され、前記血管へ液体を移動させるために圧力を加える機械装置を有する医療装置に関するものであり、本発明の上記目的は、前記液体の圧力を測定する圧力検出手段と、測定された前記圧力の一定時間のデータを周波数解析して各周波数成分から構成されるスペクトルを検出する周波数解析手段と、前記スペクトルから前記機械装置に起因する周波数成分を除去する除去手段と、前記患者の脈拍に起因する周波数成分の周波数から脈拍数に換算する脈拍数換算手段と、からなる脈拍数測定回路を備えたことによって達成される。
【手続補正５】
【補正対象書類名】明細書
【補正対象項目名】００２９
【補正方法】変更
【補正の内容】
【００２９】
第２の方法としては、血液ポンプ２や透析液循環ポンプの回転周波数はポンプ類を制御するために制御回路１１やポンプ制御回路１２によって既に知られているので、ＦＦＴ解析後のスペクトルから、ポンプ類の回転に起因する周波数成分を除去すれば、残った周波数成分が脈拍に起因する周波数成分なので、その周波数成分の周波数から脈拍数を測定することができる。
【手続補正６】
【補正対象書類名】明細書
【補正対象項目名】００４１
【補正方法】変更
【補正の内容】
【００４１】
周波数解析手段３０の出力には、記憶手段３１が接続されている。記憶手段３１は、動脈側圧力センサ５で検出した圧力波データから周波数解析手段３０でＦＦＴ解析した血液ポンプ３や透析液循環ポンプなどの機械装置に起因する周波数成分と脈拍に起因する周波数成分が混在している最新のスペクトルが記憶される。記憶手段３１の内容は透析中は常時新しいデータに入れ替わる。なお、記憶手段３１は周波数解析手段３０の出力データを一時記憶させるものなので、記憶手段３１は周波数解析手段３０の中に備えられていても良い。
【手続補正７】
【補正対象書類名】明細書
【補正対象項目名】００４２
【補正方法】変更
【補正の内容】
【００４２】
一方、除去手段は記憶手段３２と減算手段３３から構成される。記憶手段３２には、動脈側カニューレ１や静脈側カニューレ１０を血管に取り付ける前に、即ち、血管アクセスを取り付ける前に、動脈側圧力センサ５で検出した圧力波データから周波数解析手段３０でＦＦＴ解析した血液ポンプ３や透析液循環ポンプなどの血液に印可される圧力の機械装置のみに起因する周波数成分のスペクトルだけが記憶されている。
【手続補正８】
【補正対象書類名】明細書
【補正対象項目名】００４４
【補正方法】変更
【補正の内容】
【００４４】
減算手段３３は、記憶手段３１と記憶手段３２を入力として配され、記憶手段３１が記憶している血液ポンプ３や透析液循環ポンプなどの機械装置に起因する周波数成分と脈拍に起因する周波数成分とが混在しているスペクトルから、記憶手段３２の記憶している血液ポンプ３や透析液循環ポンプなどの機械装置のみに起因する周波数成分を除去して、脈拍に起因する周波数成分だけを特定する機能を有している。ここまでの脈拍に起因する周波数成分だけを特定する構成部分は脈拍測定回路Ａと血圧測定回路Ｂの共通する構成部分である。
【手続補正９】
【補正対象書類名】明細書
【補正対象項目名】００４７
【補正方法】変更
【補正の内容】
【００４７】
以上の実施例は、血液ポンプ３や透析液循環ポンプに起因する周波数成分と脈拍に起因する周波数成分が混在するスペクトルから血液ポンプ３や透析液循環ポンプに起因する周波数成分を除去して、脈拍に起因する周波数成分のみを検出する方法として、血管アクセスを取り付ける前にポンプ類に起因する周波数成分を検出して実現した実施例である。
【手続補正１０】
【補正対象書類名】明細書
【補正対象項目名】００４８
【補正方法】変更
【補正の内容】
【００４８】
次に、第２の除去方法として、血液ポンプ３や透析液循環ポンプの運転周波数であるｆ０やｆ１は制御回路１１やポンプ制御回路１２にとって既知である。つまり、図１において、制御回路１１からポンプ制御回路１２に対して血液ポンプ３や透析液循環ポンプへポンプの回転周波数を指示しているので回転周波数ｆ０やｆ１は制御回路１１にとって既知である。よって、記憶手段３１の混在した周波数成分のスペクトルに対しｆ０やｆ１およびその整数倍の周波数成分にマスクをかけてしまえば、脈拍に起因する周波数ｆｍの周波数成分のみが残り、脈拍に起因する周波数ｆｍの周波数成分のみを測定することができる。
【手続補正１１】
【補正対象書類名】明細書
【補正対象項目名】００４９
【補正方法】変更
【補正の内容】
【００４９】
つまり、図６に示すように、除去手段として、周波数解析手段３０から出力され記憶手段３１に記録されたポンプ類に起因する周波数成分と脈拍に起因した周波数成分とが混在した最新のスペクトルに対してポンプ類の回転周波数に対応する周波数の周波数成分に対してマスクをかけることを意味する。また、血液ポンプ３や透析液循環ポンプの回転周波数であるｆ０やｆ１をポンプ制御回路１２が知る方法としては、制御回路１１からポンプ制御回路１２への運転指令によって知ることも可能であるし、また、運転周波数を正しく知るためにポンプ制御回路１２で血液ポンプ３や透析液循環ポンプに回転数センサを取り付けて検知すれば、運転指令値より正しい周波数を検知することができる。
【手続補正１２】
【補正対象書類名】明細書
【補正対象項目名】００５２
【補正方法】変更
【補正の内容】
【００５２】
なお、脈拍数を測定するためには脈拍に起因する周波数成分の周波数ｆｍを特定できれば良いので、周波数成分の強度ではなく周波数を測定できれば、脈拍数測定には充分と考えられる。しかし、患者の脈拍数が変化して、血液ポンプ３や透析液循環ポンプの運転周波数と接近したり重なった場合でも、周波数成分の周波数だけでなく強度の要素を考慮すれば、脈拍に起因する周波数成分とポンプ類に起因する周波数成分とを分離できる。
【手続補正１３】
【補正対象書類名】明細書
【補正対象項目名】００６５
【補正方法】変更
【補正の内容】
【００６５】【発明の効果】以上に説明したように、本発明を用いれば、血管アクセスを経由して患者の血管に結合され、前記血管へ液体を移動させるために圧力を加える機械装置を有する医療装置において、液体の圧力波の中の患者の脈拍に起因する圧力波の周波数成分を周波数解析によって特定することにより、患者や医療関係者に負担をかけることなく、特別な装置追加もなく、患者の脈拍数および血圧値を常時正しく測定できる方法を提供でき、また、その方法を応用した医療装置を提供できるという優れた効果がある。